(57)【特許請求の範囲】
【請求項１】
少なくとも１〜３号盤から成ると共に、前記１号盤が複数盤で形成され、前記１〜３号盤が電気的に接続される各盤間の電路を遮断、接地する際に、
前記１号盤は、該１号盤の遮断器操作スイッチが断路状態で該１号盤のキー１を抜取り、該１号盤の一方に隣接する２号盤の遮断器操作スイッチを断路状態とし、この状態で該２号盤のキー３を抜取り、抜取った前記２号盤のキー３及び前記１号盤のキー１を前記２号盤のキースイッチに差し込んで保守状態とし、この状態で前記２号盤の接地開閉器操作スイッチを接地にして前記１号盤と２号盤の電路を接地状態にし、かつ、前記２号盤のキー５を抜取り、
一方、前記１号盤の遮断器操作スイッチが断路状態で該１号盤のキー２を抜取り、該１号盤の他方に隣接する３号盤の遮断器操作スイッチを断路状態とし、この状態で該３号盤のキー４を抜取り、抜取った前記３号盤のキー４及び前記１号盤のキー２を前記３号盤のキースイッチに差し込んで保守状態とし、この状態で前記３号盤の接地開閉器操作スイッチを接地にして前記１号盤と３号盤の電路を接地状態にし、かつ、前記３号盤のキー６を抜取り、
しかも、前記１号盤の主発電機盤の遮断器操作スイッチが断路状態で該主発電機盤のキー７を抜取り、抜取った前記主発電機盤のキー７と前記２号盤のキー５及び前記３号盤のキー６を前記主発電機盤のキースイッチに差し込んで保守状態とし、この状態で前記主発電機盤の接地開閉器操作スイッチを接地にして前記１号盤と主発電機の電路を接地状態にすることを特徴とする配電盤用キーインターロック方法。
【請求項２】
請求項１に記載の配電盤用キーインターロック方法において、
前記２号盤のキー３と前記３号盤のキー６及び１号盤のキー７を、１号盤の主発電機盤キースイッチに差し込んだ状態で前記１号盤のキー８が抜取り可能となり、このキー８で前記１号盤の全ての裏面の扉が開放できることを特徴とする配電盤用キーインターロック方法。
【発明の詳細な説明】
【技術分野】
【０００１】
本発明は配電盤用キーインターロック方法に係り、特に、配電盤内で作業する区画が無電圧であるときに限り、盤の開放が可能となり、かつ、盤が開放している状態では遮断器が投入できないようにされている配電盤用キーインターロック方法に関する。
【背景技術】
【０００２】
通常、インターロックは配電盤に使用されており、メンテナンスの際の安全を考慮したもので、作業する区画が無電圧であるときに限り、盤の開放が可能となり、かつ、開放している盤の遮断器が投入できないように設計されている。
【０００３】
この配電盤のインターロックの基本的な考え方は、以下の２点である。即ち、１つは、配電盤のメンテナンスにあたっては、図１に示すように、１号盤を構成する１・４号母線連絡盤１、接地形計器用変圧器盤２、発電機盤３、変圧器給電盤４、１・２号母線連絡盤５と２号盤である４・１号母線連絡盤６との電路（Ａ）、１号盤と３号盤である２・１号母線連絡盤７との電路（Ｂ）及び１号盤と１号発電機８との電路（Ｃ）の各電路が活線となっている可能性があるため、これらの電路を確実に遮断し、接地しておく必要がある。尚、図１において、９は１号励磁盤である。
【０００４】
また、もう１つは、遮断及び接地状態では、遠隔操作、ヒューマンエラーによる誤操作によって間違って遮断器が投入されることがないよう、電気的・機械的なインターロック機構を備えることである。
【０００５】
このような配電盤のインターロック装置の従来技術としては、例えば、特許文献１及び２に記載されたものがある。
【０００６】
特許文献１には、盤内に据え付けられた回路遮断器の扉を開く場合は、ハンドルユニットの操作ハンドルをＯＦＦ位置に回して遮断器をＯＦＦにすることでロックが解除され、ハンドル位置がＯＮ状態では、扉が開かないようにしていることが記載されている。
【０００７】
一方、特許文献２には、連系操作する複数の引出形遮断器の操作装置のキースイッチを操作して初めて、対象の遮断器を操作する操作ハンドル取付部が操作できるようにしていることが記載されている。
【先行技術文献】
【特許文献】
【０００８】
【特許文献１】特開２００１−３４５０３７号公報
【特許文献２】特開昭５９−１３２７０６号公報
【発明の概要】
【発明が解決しようとする課題】
【０００９】
しかしながら、上述した特許文献１及び２では、配電盤のメンテナンスに当たって、各盤の電路を確実に遮断及び接地し、かつ、遮断及び接地状態では、確実に遠隔操作、ヒューマンエラーによる誤操作によって間違って遮断器が投入されることがないようにする配慮がなされておらず、より安全性の高いインターロック方法が望まれていた。
【００１０】
本発明は上述の点に鑑みなされたもので、その目的とするところは、配電盤のメンテナンスに当たって、各盤の電路を確実に遮断及び接地することは勿論、遮断及び接地状態では、確実に遠隔操作、ヒューマンエラーによる誤操作によって間違って遮断器が投入されることがないようにした配電盤用キーインターロック方法を提供することにある。
【課題を解決するための手段】
【００１１】
本発明の配電盤用キーインターロック方法は、上記目的を達成するために、少なくとも１〜３号盤から成ると共に、前記１号盤が複数盤で形成され、前記１〜３号盤が電気的に接続される各盤間の電路を遮断、接地する際に、前記１号盤は、該１号盤の遮断器操作スイッチが断路状態で該１号盤のキー１を抜取り、該１号盤の一方に隣接する２号盤の遮断器操作スイッチを断路状態とし、この状態で該２号盤のキー３を抜取り、抜取った前記２号盤のキー３及び前記１号盤のキー１を前記２号盤のキースイッチに差し込んで保守状態とし、この状態で前記２号盤の接地開閉器操作スイッチを接地にして前記１号盤と２号盤の電路を接地状態にし、かつ、前記２号盤のキー５を抜取り、一方、前記１号盤の遮断器操作スイッチが断路状態で該１号盤のキー２を抜取り、該１号盤の他方に隣接する３号盤の遮断器操作スイッチを断路状態とし、この状態で該３号盤のキー４を抜取り、抜取った前記３号盤のキー４及び前記１号盤のキー２を前記３号盤のキースイッチに差し込んで保守状態とし、この状態で前記３号盤の接地開閉器操作スイッチを接地にして前記１号盤と３号盤の電路を接地状態にし、かつ、前記３号盤のキー６を抜取り、しかも、前記１号盤の主発電機盤の遮断器操作スイッチが断路状態で該主発電機盤のキー７を抜取り、抜取った前記主発電機盤のキー７と前記２号盤のキー５及び前記３号盤のキー６を前記主発電機盤のキースイッチに差し込んで保守状態とし、この状態で前記主発電機盤の接地開閉器操作スイッチを接地にして前記１号盤と主発電機の電路を接地状態にすることを特徴とする。
【発明の効果】
【００１２】
本発明によれば、配電盤のメンテナンスに当たって、各盤の電路を確実に遮断及び接地することは勿論、遮断及び接地状態では、確実に遠隔操作、ヒューマンエラーによる誤操作によって間違って遮断器が投入されることがないようにすることができ、より安全性の高いインターロック方法を得ることができる。
【図面の簡単な説明】
【００１３】
【図１】一般的な高圧配電盤における複数盤の接続構成の概略を示す図である。
【図２】本発明の配電盤用キーインターロック方法が採用されている高圧配電盤の概略を示す図である。
【図３】本発明の配電盤用キーインターロック方法の操作手順を示すフロー図である。
【図４】図２における２・１号主母線連絡盤のキースイッチの概略を示す図である。
【図５】図２における１号主発電機盤のキースイッチの概略を示す図である。
【発明を実施するための形態】
【００１４】
以下、図示した実施例に基づいて本発明の配電盤用キーインターロック方法を説明する。
【実施例１】
【００１５】
図２に、本発明の配電盤用キーインターロック方法が採用されている高圧配電盤の概略を示す。
【００１６】
該図に示す如く、高圧配電盤は、１号盤を１・２号主母線連絡盤１０、接地形計器用変圧器盤２、１号主発電機盤１１、１号主変圧器（常用）盤１２、１・４号主母線連絡盤１３で構成し、２号盤を２・１号主母線連絡盤１４、３号盤を４・１主母線連絡盤１５でそれぞれ構成し、各盤間は電気的に電路で接続されている。
【００１７】
そして、本実施例の高圧配電盤では、各盤の正面に遮断器スイッチ以外に保守用の小扉を設け、内部に遮断操作スイッチ、接地開閉器操作スイッチを装備し、これらは不用意に操作される恐れがないようキー付としている。
【００１８】
また、遮断操作スイッチが「断路」位置にある場合は、遠隔からの遮断器投入指令を受け付けないよう電気的なインターロックを備え、かつ、１号主発電機盤１１の遮断器操作スイッチは、「断路」位置にすることにより主発電機を無励磁にすることができる。
【００１９】
更に、各接地開閉器スイッチの「接地」操作は、当該盤の活線経路が断たれているという条件をもって可能となるよう関連する盤の「断路」、又は「接地」の条件をキースイッチで構成する。尚、このキースイッチは、誤操作防止の観点から機械的な順序インターロック機構を備えるものとする。
【００２０】
以下、本発明の配電盤用キーインターロック方法を図３を用いて説明する。
【００２１】
該図に示す如く、先ず手順（ａ）で１号発電機８が停止していることを確認する。次に、１号盤の１・２号主母線連絡盤１０と２号盤の２・１号主母線連絡盤１４との電路（Ａ）を接地する際には、手順（ｂ）で１・２号主母線連絡盤１０の正面にある小扉を開け遮断器操作スイッチを「常」→「遮断」→「断路」とする。これで１・２号主母線連絡盤１０のキー１を抜取り可能とし、キー１を抜取り、このキー１を持って対となる隣接する２号盤の２・１号主母線連絡盤１４へ移動する。
【００２２】
次に、手順（ｃ）で２・１号主母線連絡盤１４の正面にある小扉を開け遮断器操作スイッチを「常」→「遮断」→「断路」とする。これで２・１号主母線連絡盤１４のキー３を抜取り可能とし、キー３を抜取る。
【００２３】
その後、手順（ｄ）で、手順（ｃ）で抜取ったキー３と手順（ｂ）で抜取ったキー１を、図４に示す２・１号主母線連絡盤１４のキースイッチに差込み「常」→「保守」とする（この際、キー３→キー１の順番で操作）。続いて２・１号主母線連絡盤１４の接地開閉器操作スイッチを「常」→「接地」とし、１号盤の１・２号主母線連絡盤１０と２号盤の２・１号主母線連絡盤１４との電路（Ａ）の接地が完了する。この時点で、２・１号主母線連絡盤１４のキー５が抜取り可能となり、このキー５を抜取り、１号主発電機盤１１へ移動する。
【００２４】
次に、１号盤の１・４号主母線連絡盤１３と３号盤の４・１主母線連絡盤１５との電路（Ｂ）を接地する際には、手順（ｅ）で１・４号主母線連絡盤１３の正面にある小扉を開け遮断器操作スイッチを「常」→「遮断」→「断路」とする。これで１・４号主母線連絡盤１３のキー２を抜取り可能とし、キー２を抜取り、このキー２を持って対となる隣接する３号盤の４・１主母線連絡盤１５へ移動する。
【００２５】
次に、手順（ｆ）で４・１主母線連絡盤１５の正面にある小扉を開け遮断器操作スイッチを「常」→「遮断」→「断路」とする。これで４・１主母線連絡盤１５のキー４を抜取り可能とし、キー４を抜取る。
【００２６】
その後、手順（ｇ）で、手順（ｆ）で抜取ったキー４と手順（ｅ）で抜取ったキー２を、図４に示す２・１号主母線連絡盤１４のキースイッチに差込み「常」→「保守」とする（この際、キー４→キー２の順番で操作）。続いて４・１主母線連絡盤１５の接地開閉器操作スイッチを「常」→「接地」とし、１号盤の１・４号主母線連絡盤１３と３号盤の４・１主母線連絡盤１５との電路（Ｂ）１の接地が完了する。この時点で、４・１主母線連絡盤１５のキー６が抜取り可能となり、このキー６を抜取り、１号主発電機盤１１へ移動する。
【００２７】
次に、１号盤の１号主発電機盤１１と１号発電機８（図１参照）との電路（Ｃ）を接地する際には、手順（ｈ）で１号主発電機盤１１の正面にある小扉を開け遮断器操作スイッチを「常」→「遮断」→「断路」とする。これで１号主発電機盤１１のキー７を抜取り可能とし、キー７を抜取る（尚、上記遮断器操作スイッチ「断路」で発電機励磁回路を開放するため、万一、発電機が運転されても電圧は発生する）。
【００２８】
その後、手順（ｊ）で、手順（ｈ）で抜取ったキー７と手順（ｄ）、（ｇ）で抜取ったキー５、９を、図５に示す１号主発電機盤１１のキースイッチに差込み「常」→「保守」とする（この際、キー７→キー５→キー６の順番で操作）。続いて１号主発電機盤１１の接地開閉器操作スイッチを「常」→「接地」とし、１号盤の１号主発電機盤１１と１号発電機８との電路（Ｃ）の接地が完了する。この時点で、１号主発電機盤１１のキー８が抜取り可能となる。
【００２９】
このキー８を使用することで、高圧配電盤の全ての裏面部が開放可能となりメンテナンスが可能となると共に、１号励磁盤９の扉が開放可能となりメンテナンスが可能となる。このキー８は、裏面カバー開放状態では抜取り不可となっている。
【００３０】
このような本実施例とすることにより、各キーが開極の最終位置でのみ抜けるという電気的、機械的なインターロック機構を実現することができ、これにより通電状態では扉を開けることができず、メンテナンス時など、誤操作による感電を防ぐことができる。
【００３１】
従って、本実施例によれば、配電盤のメンテナンスに当たって、各盤の電路を確実に遮断及び接地することは勿論、遮断及び接地状態では、確実に遠隔操作、ヒューマンエラーによる誤操作によって間違って遮断器が投入されることがないようにすることができ、より安全性の高いインターロック方法を得ることができる。
【００３２】
尚、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００３３】
１…１・４号母線連絡盤、２…接地形計器用変圧器盤、３…発電機盤、４…変圧器給電盤、５…１・２号母線連絡盤、６…４・１号母線連絡盤、７…２・１号母線連絡盤、８…１号発電機、９…１号励磁盤、１０…１・２号主母線連絡盤、１１…１号主発電機盤、１２…１号主変圧器（常用）盤、１３…１・４号主母線連絡盤、１４…２・１号主母線連絡盤、１５…４・１主母線連絡盤。
【図１】
0005649604.tif 000002
【図２】
0005649604.tif 000003
【図３】
0005649604.tif 000004
【図４】
0005649604.tif 000005
【図５】
0005649604.tif 000006